(57)【要約】【課題】  符号化された映像信号を記録媒体から読出して静止画を再生表示する場合に適用されるフィルタ処理の特性を任意に変更する。【解決手段】  ＰＶＲは符号化された映像信号をＨＤＤ２から読出して予め準備された表示部に表示するために再生処理する。読出された映像信号により表示部に静止画を表示するとき、表示される静止画のための映像信号はフィルタ部１０またはフィルタ処理回路４によりフィルタ処理される。このフィルタ処理時にはメモリ６のテーブルＴＢに予め準備された複数のフィルタ係数から、静止画の映像の種別または表示部の種別に基づいたフィルタ係数が読出される。そして、読出されたフィルタ係数はフィルタ部１０またはフィルタ処理回路４に与えられて、映像信号に施されるフィルタ処理の特性が任意に変更される。【選択図】        図１
2005311429.tif 000002
【特許請求の範囲】
【請求項１】
符号化された映像信号を記録媒体から読出して予め準備された表示部に表示するために再生処理する映像再生装置であって、
読出された前記映像信号により前記表示部に静止画を表示するとき、表示される前記静止画のための前記映像信号をフィルタ処理するフィルタ処理手段と、
前記フィルタ処理手段によるフィルタ処理の特性を予め準備された複数のフィルタ係数を用いて任意に変更するフィルタ特性変更手段とを備え、
前記フィルタ特性変更手段は、
表示される前記静止画の映像の種類に基づいて前記複数フィルタ係数から選択したフィルタ係数を用いて前記フィルタ処理の特性を変更する映像フィルタ変更手段と、
前記静止画を表示する前記表示部の種類に基づいて前記複数フィルタ係数から選択したフィルタ係数を用いて前記フィルタ処理の特性を変更する表示フィルタ変更手段とを有し、
前記フィルタ処理手段は、
表示される前記静止画のために前記記録媒体から読出された前記符号化された映像信号についてフィルタ処理する符号化信号フィルタ手段と、
表示される前記静止画のために前記記録媒体から読出されて復号化された映像信号についてフィルタ処理する復号化信号フィルタ手段とを有し、
前記符号化信号フィルタ手段による前記フィルタ処理は、プログラムに従うフィルタ演算であり、前記復号化信号フィルタ手段による前記フィルタ処理はハードウェア回路による処理であり、
前記フィルタ処理には複数種類のフィルタ機能が含まれて、前記複数種類のフィルタ機能のうち、前記符号化信号フィルタ手段は符号化された映像信号のデータを演算する種類のフィルタ機能を処理し、前記復号化信号フィルタ手段は復号化された映像信号を操作する種類のフィルタ機能を処理し、
前記符号化信号フィルタ手段による前記フィルタ処理および前記復号化信号フィルタ手段による前記フィルタ処理のうちの一方のみが能動化されることを特徴とする、映像再生装置。
【請求項２】
符号化された映像信号を記録媒体から読出して予め準備された表示部に表示するために再生処理する映像再生装置であって、
読出された前記映像信号により前記表示部に静止画を表示するとき、表示される前記静止画のための前記映像信号をフィルタ処理するフィルタ処理手段と、
前記フィルタ処理手段によるフィルタ処理の特性を予め準備された複数のフィルタ係数を用いて任意に変更するフィルタ特性変更手段とを備える、映像再生装置。
【請求項３】
前記フィルタ特性変更手段は、
表示される前記静止画の映像の種類に基づいて前記複数フィルタ係数から選択したフィルタ係数を用いて前記フィルタ処理の特性を変更する映像フィルタ変更手段を有する、請求項２に記載の映像再生装置。
【請求項４】
前記フィルタ特性変更手段は、
前記静止画を表示する前記表示部の種類に基づいて前記複数フィルタ係数から選択したフィルタ係数を用いて前記フィルタ処理の特性を変更する表示フィルタ変更手段を有する、請求項２または３に記載の映像再生装置。
【請求項５】
前記フィルタ処理手段は、
表示される前記静止画のために前記記録媒体から読出された前記符号化された映像信号についてフィルタ処理する符号化信号フィルタ手段と、
表示される前記静止画のために前記記録媒体から読出されて復号化された映像信号についてフィルタ処理する復号化信号フィルタ手段とを有する、請求項２から４のいずれか１項に記載の映像再生装置。
【請求項６】
前記符号化信号フィルタ手段による前記フィルタ処理は、プログラムに従うフィルタ演算であり、前記復号化信号フィルタ手段による前記フィルタ処理はハードウェア回路による処理であることを特徴とする、請求項５に記載の映像再生装置。
【請求項７】
前記フィルタ処理には複数種類のフィルタ機能が含まれて、
前記複数種類のフィルタ機能のうち、前記符号化信号フィルタ手段は符号化された映像信号のデータを演算する種類のフィルタ機能を処理し、前記復号化信号フィルタ手段は復号化された映像信号を操作する種類のフィルタ機能を処理することを特徴とする、請求項５または６に記載の映像再生装置。
【請求項８】
前記符号化信号フィルタ手段による前記フィルタ処理および前記復号化信号フィルタ手段による前記フィルタ処理のうちの一方のみが能動化されることを特徴とする、請求項５から７のいずれか１項に記載の映像再生装置。
【発明の詳細な説明】
【技術分野】
【０００１】
この発明は映像再生装置に関し、特に符号化された映像信号を記録媒体から読出し表示するために再生処理する映像再生装置に関する。
【背景技術】
【０００２】
ＰＶＲ（Personal Video Recorder）などのようなハードディスクを使って録画するビデオ機器では、録画された動画像データの一部を切出して静止画として再生（表示）できる。このような再生時において再生画像のノイズを抑制し画質を改善するための技術が提案されている（たとえば、特許文献１を参照）。この特許文献１の技術では、記録メディアから映像信号を読出して再生する場合に再生状態に応じたフィルタ特性でフィルタ処理を行なっている。
【０００３】
特許文献１では、記録メディアから読出された映像信号についてスロー再生や静止画再生という再生状態の種別ごとに復号後の映像信号の通過帯域を異ならせるようにフィルタ特性を変更したり、記録メディアから映像信号とともに読出された符号化タイプ（符号化特性）に応じて上述のフィルタ特性を変更したりしていた。
【特許文献１】特開２００１−３５９０４８号公報
【発明の開示】
【発明が解決しようとする課題】
【０００４】
しかしながら、特許文献１の方法では、再生の対象とされている画像の種類や再生画像の表示先となる表示デバイスの種類に応じてフィルタ特性を変更することができなかった。
【０００５】
それゆえにこの発明の目的は、符号化された映像信号を記録媒体から読出して静止画を再生表示する場合に適用されるフィルタ処理の特性を任意に変更できる映像再生装置を提供することである。
【０００６】
この発明の他の目的は、符号化された映像信号を記録媒体から読出して静止画を再生表示する場合に映像の種類に応じてフィルタ処理の特性を変更できる映像再生装置を提供することである。
【０００７】
この発明のさらに他の目的は、符号化された映像信号を記録媒体から読出して静止画を再生表示する場合に、表示部の種類に応じてフィルタ処理の特性を変更できる映像再生装置を提供することである。
【課題を解決するための手段】
【０００８】
この発明のある局面に従う、符号化された映像信号を記録媒体から読出して予め準備された表示部に表示するために再生処理する映像再生装置は、読出された映像信号により表示部に静止画を表示するとき、表示される静止画のための映像信号をフィルタ処理するフィルタ処理手段と、フィルタ処理手段によるフィルタ処理の特性を予め準備された複数のフィルタ係数を用いて任意に変更するフィルタ特性変更手段とを備える。
【０００９】
したがって、再生されて表示される静止画の映像信号に施されるフィルタ処理の特性を複数のフィルタ係数を用いて任意に変更するため、静止画のフィルタ処理の特性を任意に変更できる。その結果、より良い画質の静止画を表示できる。
【００１０】
好ましくは、フィルタ特性変更手段は、表示される静止画の映像の種類に基づいて複数フィルタ係数から選択したフィルタ係数を用いてフィルタ処理の特性を変更する映像フィルタ変更手段を有する。
【００１１】
したがって、再生されて表示される静止画の映像信号に施されるフィルタ処理の特性をその映像の種類に基づいて変更することができる。
【００１２】
好ましくは、フィルタ特性変更手段は、静止画を表示する表示部の種類に基づいて前記複数フィルタ係数から選択したフィルタ係数を用いて前記フィルタ処理の特性を変更する表示フィルタ変更手段を有する。
【００１３】
したがって、再生されて表示される静止画の映像信号に施されるフィルタ処理の特性を表示部の種類に基づいて変更することができる。
【００１４】
好ましくは、フィルタ処理手段は、表示される静止画のために記録媒体から読出された符号化された映像信号についてフィルタ処理する符号化信号フィルタ手段と、表示される静止画のために記録媒体から読出されて復号化された映像信号についてフィルタ処理する復号化信号フィルタ手段とを有する。
【００１５】
したがって、再生されて表示される静止画の映像信号に施されるフィルタ処理を、読出されたときの符号化状態の該映像信号について施すこともできるし、復号化された状態の該映像信号について施すこともできる。
【００１６】
好ましくは、符号化信号フィルタ手段によるフィルタ処理は、プログラムに従うフィルタ演算であり、復号化信号フィルタ手段によるフィルタ処理はハードウェア回路による処理である。
【００１７】
したがって、再生されて表示される静止画の映像信号に施されるフィルタ処理を、プログラム演算を実行することにより施すこともできるし、ハードウェア回路で信号処理することにより施すこともできる。
【００１８】
好ましくは、フィルタ処理には複数種類のフィルタ機能が含まれて、複数種類のフィルタ機能のうち、符号化信号フィルタ手段は符号化された映像信号のデータを演算する種類のフィルタ機能を処理し、復号化信号フィルタ手段は復号化された映像信号を操作する種類のフィルタ機能を処理する。
【００１９】
したがって、再生されて表示される静止画の映像信号に施されるフィルタ処理のうち、映像信号のデータを演算する種類のフィルタ機能の処理は符号化信号フィルタ手段に、映像信号を操作する種類のフィルタ機能の処理は復号化信号フィルタ手段にと、フィルタ処理の機能を分散させて実行できる。その結果、符号化信号フィルタ手段または復号化信号フィルタ手段の一方に負荷が集中して映像の再生処理が遅れ、再生画像の質が低下する事態を回避できる。
【００２０】
好ましくは、符号化信号フィルタ手段によるフィルタ処理および復号化信号フィルタ手段によるフィルタ処理のうちの一方のみが能動化される。
【００２１】
したがって、符号化信号フィルタ手段または復号化信号フィルタ手段の一方のみによるフィルタ処理を行なわせることができる。
【００２２】
この発明の他の局面に従う、符号化された映像信号を記録媒体から読出して予め準備された表示部に表示するために再生処理する映像再生方法は、読出された映像信号により表示部に静止画を表示するとき、表示される静止画のための映像信号をフィルタ処理するフィルタ処理ステップと、フィルタ処理ステップによるフィルタ処理の特性を予め準備された複数のフィルタ係数を用いて任意に変更するフィルタ特性変更ステップとを備える。
【００２３】
したがって、再生されて表示される静止画の映像信号に施されるフィルタ処理の特性を複数のフィルタ係数を用いて任意に変更するため、静止画のフィルタ処理の特性を任意に変更できる。その結果、より良い画質の静止画を表示できる。
【発明の効果】
【００２４】
本発明によれば、再生されて表示される静止画の映像信号に施されるフィルタ処理の特性を複数のフィルタ係数を用いて任意に変更するため、静止画のフィルタ処理の特性を任意に変更できる。その結果、より良い画質の静止画を表示できる。
【００２５】
また、静止画の表示先となる表示部の種類および映像の種類に応じて適用されるフィルタ処理の特性を変更できるので、静止画を見やすく表示できる。
【発明を実施するための最良の形態】
【００２６】
以下、この発明の実施の形態について図面を参照して説明する。なお、ここでは記録媒体に記録されて、その後、読出されて再生される信号を映像信号としているが、映像信号とともに音声信号も処理されるようにしてよい。ここでは、説明を簡単にするために音声信号の処理についての説明は省略する。
【００２７】
図１には、実施の形態に係る再生機能付きのＰＶＲの構成が示される。図１を参照してＰＶＲは、外部から与えられる映像信号のＲＦ（Radio Frequency）信号を入力して処理し、ビデオ信号を外部に接続された表示部（ＴＶ（Television）受像機、ＣＲＴ（Cathode Ray Tube）、ＬＣＤ（Liquid Crystal Display）など）に出力する。ＰＶＲは、映像信号であるＲＦ信号を入力して処理し、符号化してコンピュータで処理可能なデジタル信号であるＴＳ（Transport Stream）データを出力するＮＩＭ（Network Interface Module）１、ＮＩＭ１から出力される符号化された映像信号であるＴＳデータを記録するＨＤＤ（Hard Disc Drive）２、フィルタ処理回路４、ＰＶＲ１を集中的に制御・監視するためのＣＰＵ（Central Processing Unit）５、ＣＰＵ５によりアクセスされるデータが格納されるメモリ６、外部のリモコン（リモートコントローラ）１３から赤外線信号に変調された指示信号を受信処理するＩＲ（Infrared）部７、およびＮＩＭ１またはＨＤＤ２から出力されるＴＳデータを入力してＭＰＥＧ（Motion Picture Experts Group）方式に従いデコード処理などをして復号化された映像信号を出力するＭＰＥＧデコーダ９を備える。ＰＶＲの録画モード時には、ＮＩＭ１から出力されたＴＳデータはＨＤＤ２に逐次書込まれて記録される。
【００２８】
ＮＩＭ１は、図示のないＴＶアンテナまたはＴＶケーブルを介して受信した放送信号のＲＦ信号を入力して、ＣＰＵ５から与えられている選局情報に基づき選択されたチャンネルの信号を、入力したＲＦ信号から抽出し、抽出信号をデジタル方式に従い復調してＴＳデータを出力する。
【００２９】
この選局情報は、ユーザがリモコン１３を操作して、所望する放送局のチャンネルを選択した場合にその選択チャンネルを示す指示信号がリモコン１３からＩＲ部７を介してＣＰＵ５に与えられるので、ＣＰＵ５は与えられた選択チャンネルに対応の選局情報（たとえば同調電圧の情報または同調周波数の情報）をＮＩＭ１に出力する。
【００３０】
ここでは、放送信号とともに放送番組に関するＥＰＧ（Electric Program Guide）情報も受信される。受信されたＥＰＧ情報はＲＦ信号およびＴＳデータに含まれており、ＥＰＧ情報を含むＴＳデータがＨＤＤ２に記録される。ＥＰＧ情報は、放送される番組についての放送時間、放送局、番組の内容、番組タイトルなどのデータを含む。
【００３１】
ＭＰＥＧデコーダ９はフィルタ部１０、バッファ１１および入力したＴＳデータからＥＰＧ情報を抽出するＥＰＧ抽出部１２を有する。ＭＰＥＧデコーダ９はＮＩＭ１を介して受信される、または再生モード時にＨＤＤ２から読出されて与えられるＴＳデータを入力するとバッファ１１に一時格納（バッファリング）する。ＮＩＭ１から与えられたＴＳデータはバッファリングされるとともにデコード処理されて、デコード処理の結果、復号化されたアナログの映像信号が出力される。
【００３２】
ＨＤＤ２からの再生モード時には通常はバッファリングされながら読出されて、すなわちＨＤＤ２から逐次読出されたＴＳデータはバッファ１１に書込まれながら（上書きされながら）読出されて出力される。ＣＰＵ５からの指示により静止画表示モードと指定された場合には、ＨＤＤ２から読出されてバッファ１１に格納されたＴＳデータは上書きされずに繰返し読出されて出力される。したがって静止画表示モードにおいてはバッファ１１に格納された同一の映像データ（動画の映像から切出された画像のＴＳデータ）によるビデオ信号が繰返し表示部に出力される。この結果、表示部には静止画が表示されることになる。
【００３３】
静止画表示モード時には外部からの指示に応じて、バッファ１１に格納されたＴＳデータには符号化された映像信号（切出された静止画像）に対してフィルタ部１０によるプログラムに従うフィルタ演算および復号化された映像信号（切出された静止画像）に対してフィルタ処理回路４のハードウェア回路によるフィルタ処理が施される。フィルタの種類としては映像のノイズを取除くための平均値フィルタ、エッジを強調するための微分フィルタ、色を強調するためのフィルタおよび輝度レベルを変更するためのフィルタなどであるが、これらに限定されない。
【００３４】
フィルタ部１０のフィルタ演算のための係数は、ＣＰＵ５により決定されてフィルタ部１０に与えられる。フィルタ部１０は、ＣＰＵ５から与えられるフィルタ係数を用いたプログラムによるフィルタ演算をＣＰＵ５の制御の下に実行するのに対して、フィルタ処理回路４はＣＰＵ５から与えられたフィルタ係数により可変調整される回路定数（電圧値、抵抗値、容量値など）に基づいてハードウェアによるフィルタ処理を施す。
【００３５】
フィルタ部１０とフィルタ処理回路４とは選択的に使い分けられている。つまり、ＣＰＵ５によりＯＮ信号とともにフィルタ係数が与えられたほうのみが選択的に能動化される。たとえばフィルタ部１０にフィルタＯＮ信号とともにフィルタ係数が与えられてフィルタ部１０が能動化されたときはＭＰＥＧデコーダ９から出力されたフィルタ部１０によるフィルタ処理後のアナログの映像信号は能動化されていないフィルタ処理回路４を単に通過してビデオ信号として出力される。一方、フィルタ処理回路４にフィルタＯＮ信号とともにフィルタ係数が与えられてフィルタ処理回路４のみが能動化されているときは、ＭＰＥＧデコーダ９から出力されたフィルタ演算されていないアナログの映像信号は能動化されているフィルタ処理回路４にてハードウェア的にフィルタ処理されて、その後ビデオ信号として出力される。
【００３６】
ＣＰＵ５は図示されない外部スイッチの設定またはユーザがリモコン１３を操作することにより与えた指示に基づいて、プログラムによるフィルタ演算およびハードウェアによるフィルタ処理のいずれが所望されているのか判断し、プログラム演算の方が所望されていると判断したときは前述のフィルタＯＮ信号をフィルタ部１０に与え、逆にハードウェアによる処理の方が所望されていると判断したときは前述のフィルタＯＮ信号をフィルタ処理回路４に与える。
【００３７】
ＣＰＵ５は、フィルタ部１０およびフィルタ処理回路４に与えるフィルタ係数をメモリ６のテーブルＴＢから読出すことにより取得できる。テーブルＴＢには、図２に示すようにＰＶＲに接続される可能性のある表示部の種類（またはＣＲＴ、ＬＣＤなどの種別により示される特徴、特性）のそれぞれに対応してフィルタ係数ＣＦ１、ＣＦ２、…と、映像の種類（または自然画、アニメーションなどの種別により示される映像の特徴、特性）のそれぞれに対応してフィルタ係数ｃｆ１、ｃｆ２、…とが予め登録されている。フィルタ係数ＣＦ２は例えばＬＣＤ特有の映像のエッジの不鮮明さをカバーするためにエッジを強調するためのフィルタ係数であり、またフィルタ係数ｃｆ２は例えばアニメーションに特有の色の鮮明さをより強調するためのフィルタ係数である。
【００３８】
ＰＶＲに接続される表示部の種類は該表示部の接続時に図示のない外部スイッチなどにより指示されており、ＣＰＵ５は外部スイッチで指示された表示部の種別に対応のフィルタ係数ＣＦ（ＣＦ１、ＣＦ２、…）をテーブルＴＢから読出す。またＥＰＧ抽出部１２が抽出した、バッファ１１に格納されている映像信号に関連のＥＰＧ情報に基づいた映像の種別に対応のフィルタ係数ｃｆ（ｃｆ１、ｃｆ２、…）をテーブルＴＢから読出す。
【００３９】
リモコン１３には、ユーザが操作可能なように静止画ボタンＢ１とフィルタボタンＢ２とを含む各種ボタンが設けられている。ユーザが静止画ボタンＢ１をＯＮすると対応の指示信号がＣＰＵ５に与えられて、ＣＰＵ５は動画を表示する通常のモードと静止画表示モードとの切替えをする。また、フィルタボタンＢ２をＯＮすると対応の指示信号がＣＰＵ５に与えられて、ＣＰＵ５はフィルタ部１０またはフィルタ処理回路４に適用されるフィルタ係数を切換える。
【００４０】
次に、図３のフローチャートに従い、バッファ１１において切出された静止画の映像についてフィルタ係数を適用してフィルタを施す手順について説明する。
【００４１】
入力されているＲＦ信号がＮＩＭ１を介してＨＤＤ２に記録され、ＨＤＤ２に記録された信号が再生により読出されてバッファリングされながら表示部に動画の映像が表示されているとき（ステップＳ（以下、単にＳと略す）１）、ユーザがリモコン１３の静止画ボタンＢ１をＯＮして、静止画像の表示を指示した場合には（Ｓ２でＹＥＳ）、ＭＰＥＧデコーダ９のバッファ１１に一時的に蓄えられていた同一の映像（動画像から切出された画像）データは繰返し読出されてビデオ出力として外部の表示部に与えられて、ここに静止画像が表示される（Ｓ３、Ｓ４）。
【００４２】
このとき、ユーザが表示されている静止画を確認して見にくいと判断したときはリモコン１３のフィルタボタンＢ２をＯＮしてフィルタを施すことを指示する（Ｓ５でＹＥＳ）。ＣＰＵ５はＩＲ部７を介して該指示を入力すると、応じてメモリ６のテーブルＴＢに格納されているフィルタ係数（例えば、フィルタ係数ＣＦ１）を読出して、これを外部スイッチなどの設定状態に基づいて判断したフィルタ部１０またはフィルタ処理回路４のいずれかにフィルタＯＮ信号とともに与える（Ｓ８）。これにより、フィルタ部１０またはフィルタ処理回路４のいずれかにおいてＣＰＵ５から与えられたフィルタ係数を用いたフィルタ演算またはフィルタ処理が静止画の映像のデータまたは信号について実行されてフィルタが施された後の静止画が表示部に表示される（Ｓ９、Ｓ１０）。
【００４３】
このとき、ユーザが画面を確認し、やはり静止画が見にくいと判断したときは、再度フィルタボタンＢ２をＯＮ操作するので（Ｓ５でＹＥＳ）、ＣＰＵ５はテーブルＴＢに登録されている次のフィルタ係数（例えば図２のフィルタ係数ＣＦ２）を読出して（Ｓ８）、読出された新たなフィルタ係数ＣＦ２について、以下前述と同様にしてフィルタ部１０またはフィルタ処理回路４のいずれかにおいてフィルタ処理が施されてフィルタ後の静止画が表示部に表示される（Ｓ９、Ｓ１０）。
【００４４】
一方、ユーザがフィルタボタンＢ２をＯＮしなかった場合には（Ｓ５でＮＯ）、ＣＰＵ５は静止画ボタンＢ１が再度ＯＮされたか否か、すなわち静止画表示モードが解除されたか否かを判定する（Ｓ６）。静止画表示モードが解除されたのであれば、Ｓ１の処理に戻り、動画の映像の表示が再度なされる。その後Ｓ１以降の処理が行なわれる。
【００４５】
一方、静止画ボタンＢ１がＯＮされなければ（Ｓ６でＮＯ）、電源がＯＦＦされたか否かが判定される（Ｓ７）。電源がＯＦＦされれば、一連の処理は終了するがそうでなければ、Ｓ５の処理に移行して、フィルタボタンＢ２がＯＮされるか否か、すなわち新たなフィルタ係数の適用が所望されているか否かが判定されて、その判定結果に応じた処理が前述と同様に行なわれる。
【００４６】
以上のように、ユーザは静止画ボタンＢ１をＯＮして静止画表示モードに移行した場合には、静止画の表示状態（画質）を確認し、画質の改善を所望する場合には、フィルタボタンＢ２をＯＮ操作するだけで、フィルタ部１０またはフィルタ処理回路４において映像のデータまたは映像信号に適用されるフィルタ演算またはフィルタ処理のための演算係数または回路定数によるフィルタ処理の特性を任意に切換えることができて、新たなフィルタ係数で処理された静止画の映像を見ることができる。
【００４７】
（フィルタ係数の他の決定手順）
上述した図３のＳ８の処理では、フィルタ係数はテーブルＴＢから順次読出されるとしているが、次のようにしてもよい。
【００４８】
つまり、ＣＰＵ５はフィルタボタンＢ２がＯＮされた場合には、そのときにＥＰＧ抽出部１２から抽出されているＥＰＧ情報および指定されている表示部の種別に基づいて、テーブルＴＢから読出すフィルタ係数を選択的に決定するようにしてもよい。
【００４９】
たとえば、ＣＰＵ５はＥＰＧ抽出部１２により抽出されたＥＰＧ情報の番組タイトルなどに基づいて静止画として表示されている映像の種別が自然画であると判定した場合には、テーブルＴＢから自然画用フィルタ係数ｃｆ１を読出し、外部スイッチの設定などに基づいて表示部がＣＲＴと判別した場合にはテーブルＴＢからＣＲＴ用フィルタ係数ＣＦ１を読出す。そして、それら読出されたフィルタ係数のいずれか一方をフィルタ部１０またはフィルタ処理回路４のいずれか一方にフィルタＯＮ信号とともに与えるようにしてもよい。
【００５０】
この場合、表示部の種別に応じたＣＲＴ用フィルタ係数ＣＦ１または静止画の種別に応じた自然画用フィルタ係数ｃｆ１のいずれを与えるかは、図示されない外部スイッチの設定またはリモコン１３を操作することにより与えられた指示信号などによりユーザが所望する方が指定されて、その指定に基づいて選択的に決定するようにしてもよい。つまり、ユーザが表示部の特性よりも表示される映像の特性を重視したフィルタの適用を所望した場合には、自然画用フィルタ係数ｃｆ１がフィルタ部１０またはフィルタ処理回路４のいずれかに与えられ、ユーザが表示される映像の特性よりも表示先の媒体である表示部の特性を重視したフィルタ処理の適用を所望した場合には、ＣＲＴ用フィルタ係数ＣＦ１がフィルタ部１０またはフィルタ処理回路４のいずれかに与えられる。
【００５１】
また、表示される映像の特性と表示先の表示部の特性の両者を考慮したフィルタ係数が与えられるようにしてもよい。つまり、ＣＰＵ５はテーブルＴＢから読出した表示部の特性に対応したフィルタ係数ＣＦ（ＣＦ１、ＣＦ２、…）と表示される静止画の映像の特性に応じたフィルタ係数ｃｆ（ｃｆ１、ｃｆ２、…）の平均的な係数をフィルタ部１０またはフィルタ処理回路４のいずれか一方に与えるようにしてもよい。このようにすることにより、表示部の特性および映像の特性に応じてフィルタが施された静止画を得ることができる。
【００５２】
（プログラムとハードウェアとによるフィルタを実施する場合）
上述の例では、フィルタ部１０とフィルタ処理回路４とは選択的に一方のみが能動化されていたが、両方を併用するようにしてもよい。フィルタ部１０のプログラムによるフィルタ演算はＣＰＵ５の制御の下に実行されるので演算速度などの精度はＣＰＵ５の性能に依存するから、このような制約を回避するためにフィルタ部１０とフィルタ処理回路４によりフィルタに関する負荷を分散するようにしてもよい。
【００５３】
つまり、前述した平均値フィルタおよび微分フィルタなどの算術演算が関与するフィルタ演算はフィルタ部１０で実行し、映像信号のレベルを操作するような他のフィルタ処理は後段のフィルタ処理回路４で実行するというようにしてもよい。
【００５４】
なお、ここでは、フィルタ部１０によるフィルタ演算とフィルタ処理回路４によるフィルタ処理とは静止画の映像に対して施しているが、これに限定されず、動画の映像に対して実施されてもよい。
【００５５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５６】
【図１】この発明の実施の形態に適用されるＰＶＲの構成図である。
【図２】この発明の実施の形態に係るテーブルＴＢの内容例を示す図である。
【図３】この発明の実施の形態に係るＰＶＲの処理フローチャートである。
【符号の説明】
【００５７】
１  ＮＩＭ、２  ＨＤＤ、４  フィルタ処理回路、５  ＣＰＵ、６  メモリ、７  ＩＲ部、９  ＭＰＥＧデコーダ、１０  フィルタ部、１１  バッファ、１２  ＥＰＧ抽出部、１３  リモコン、Ｂ１  静止画ボタン、Ｂ２  フィルタボタン、ＴＢ  テーブル、ＣＦ１，ＣＦ２，ｃｆ１，ｃｆ２  フィルタ係数。
【図１】
2005311429.tif 000003
【図２】
2005311429.tif 000004
【図３】
2005311429.tif 000005